【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
下部軸支部を軸穴によって回動自在に軸支されることによって開閉動作する扉部材と、
前記扉部材の下部から突出した被作用片と、
駆動手段の出没動作を所定の回転動作に変換して前記被作用片に伝達することにより、前記扉部材を開閉動作させる駆動伝達部材と、を備え、
前記軸穴は、前記扉部材の下部軸支部を回動自在に軸支すると共に、閉止位置にあった該扉部材が開放方向へ回動する際に該下部軸支部が該軸穴内を横方向へ移動することを許容する構成を備えていることを特徴とする遊技機。
【手続補正２】
【補正対象書類名】明細書
【補正対象項目名】０００７
【補正方法】変更
【補正の内容】
【０００７】
この場合、図１５（ａ）に示した後方位置にあったプランジャ１２２がソレノイドへの通電により迅速に引っ込むことにより、駆動伝達部材のレバー１３１は扉部材に先行して（ｂ）に示した前方位置へ迅速に移動する。扉部材はレバーが前方へ先行して移動することにより、被作用片１１１がレバーの前部１３１ｂによる係止を解除された後で、レバーよりも遅れて自重により開放を開始する。
扉部材が図１５（ａ）に示した閉止状態から（ｂ）に示した全開状態に移行する際に、扉部材の被作用片１１１が、ストッパ１４０によって前方への回動を規制されたレバーの前部１３１ｂと接することによって扉部材の全開位置が規定されるが、ストッパ１４０によって前方への移動を阻止されたレバー前部１３１ｂに被作用片１１１が衝突した際に被作用片は直ちに停止することができず扉開放時の加速によって生じた勢いが緩和されるまでレバー前部との間でバウンドを繰り返す（図１４（ａ）（ｂ）（ｃ）を参照）。このため、被作用片と一体の扉部材も全開位置で直ちに静止することができずに、矢印で示したようにバウンドを繰り返した後に全開位置で静止していた。このように、ソレノイドの通電に伴うプランジャの引っ込みタイミングと、扉部材の開放動作（全開位置での静止タイミング）との間にズレが生じると、扉部材が入賞口を開放したタイミングに合わせて流下してきた遊技球が入球できなくなるため、装置に対する信頼性が低下して遊技者に不満感、不公平感を抱かせる虞がある。
以上のように一枚の扉部材の下部をベース部材によって前後方向へ回動自在に軸支することによって入賞口を開閉すると共に、後方に配置したソレノイドから前後方向へ出没するプランジャと、プランジャによって回動させられる駆動伝達部材とによって扉部材を開閉駆動するようにした可変入賞装置にあっては、扉部材が全開した時の開放角度を規制する手段として、駆動伝達部材の下部と接してその開放角度を規制するためのストッパをベース部材に設けていた。しかし、このストッパは駆動伝達部材を開放位置にて係止してしまうため、扉部材側の被作用片が駆動伝達部材の下部との間でバウンドを起こし易くなり、扉部材が全開位置で静止するまでに時間がかかるという問題があった。この場合、バウンドがなくなって全開位置で静止するまでに時間を要するために遊技球の入賞値が設計値からズレを起こすという問題があった。
【手続補正３】
【補正対象書類名】明細書
【補正対象項目名】０００９
【補正方法】変更
【補正の内容】
【０００９】
本発明は上記に鑑みてなされたものであり、開閉動作する一枚の扉部材を備えた可変入賞装置において、構成を複雑化することなく扉部材をバウンドさせずに全開位置で静止させるようにした遊技機を提供することを目的としている。
【手続補正４】
【補正対象書類名】明細書
【補正対象項目名】００１０
【補正方法】変更
【補正の内容】
【００１０】
上記目的を達成するため、請求項１の発明に係る遊技機は、下部軸支部を軸穴によって回動自在に軸支されることによって開閉動作する扉部材と、前記扉部材の下部から突出した被作用片と、駆動手段の出没動作を所定の回転動作に変換して前記被作用片に伝達することにより、前記扉部材を開閉動作させる駆動伝達部材と、を備え、前記軸穴は、前記扉部材の下部軸支部を回動自在に軸支すると共に、閉止位置にあった該扉部材が開放方向へ回動する際に該下部軸支部が該軸穴内を横方向へ移動することを許容する構成を備えていることを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
本発明によれば、開閉動作する一枚の扉部材を備え、簡単な改変により、扉部材のバウンドを効果的に抑制することができる。
【手続補正９】
【補正対象書類名】明細書
【補正対象項目名】００２２
【補正方法】変更
【補正の内容】
【００２２】
駆動機構６０は、第２の後部ベース部材５１Ｂにより支持されたソレノイド本体（駆動源本体）６２、ソレノイド本体により前方へ向けて出没自在に支持されて上部中空部内で前後動するプランジャ（出没部材）６３、及びプランジャ６３を前方へ付勢する弾性部材６４を備えたソレノイド（駆動源、駆動手段）６１と、第１の後部ベース部材５１Ａに設けた軸支部５３によって揺動軸支部６６が前後方向へ揺動（回動）自在に軸支され、揺動軸支部６６よりも上部にプランジャに設けたフランジ部（係合片）６３ａと係合する被係合部６７を、揺動軸支部６６よりも下部に扉部材の被作用片３３と係合するレバー６８を備えた駆動伝達部材６５と、を備えている。第１の後部ベース部材５１Ａの後面に第２の後部ベース部材５１Ｂを組み付けたときに、軸支部５３内に支持された揺動軸支部６６は第２の後部ベース部材５１Ｂ側の対応する部位に設けた部材との間に挟まれて回動自在に支持される。
駆動伝達部材６５は、例えば弾性を有した樹脂材料から構成する。
プランジャ６３は、ソレノイド本体６２の前面に設けた挿通孔６２ａによって前方へ出没自在に支持され、且つ弾性部材６４によって前方へ付勢されている。プランジャ先端のフランジ部６３ａは駆動伝達部材６５の被係合部６７間に挟まれた状態で組み付けられることにより、プランジャが出没する時の直線移動力を駆動伝達部材６５の回動力に変換する。ソレノイド本体６２に通電していないときには、プランジャは弾性部材によって突出した状態とされる。
つまり、駆動伝達部材６５は、ソレノイド（駆動手段）６１の出没動作を所定の回転動作に変換して被作用片に伝達することにより、扉部材を開閉動作させる手段である。
【手続補正１０】
【補正対象書類名】明細書
【補正対象項目名】００３９
【補正方法】変更
【補正の内容】
【００３９】
１…遊技盤、１ａ…遊技領域、３…皿部、４…発射レバー、５…センター部材、７…開閉片、１０…アウト口、１１…可変入賞装置、１２…ゲート、１３ａ…開閉扉、１４…普通入賞口、１５…風車、１６…普通図柄表示装置、２０…前部ユニット、２１…入賞口、２２…下部中空部、２３…隔壁、２４…凹所、２４Ｆ…前端縁、２４ａ…内前壁、２４ｂ…凹所底面、２５…上部中空部、３０…扉部材、３１…扉本体、３２…下部軸支部、３３…被作用片、４０…前部ベース部材、４２…前飾り、４２ａ…嵌合突起、４３…入球検知センサ、４５…装飾部材、５０…後部ユニット、５１…後部ベース部材、５１Ａ…後部ベース部材、５１Ｂ…後部ベース部材、５３…軸支部、５５…軸穴、６０…駆動機構、６１…ソレノイド（駆動源、駆動手段）、６２…ソレノイド本体（駆動源本体）、６２ａ…挿通孔、６３…プランジャ（出没部材）、６３ａ…フランジ部、６４…弾性部材、６５…駆動伝達部材、６６…揺動軸支部、６７…被係合部、６８…レバー、６８ａ…前部、６８ａ｀…内面、６８ｂ…後部、７０…ストッパ